(57)【特許請求の範囲】
【請求項１】
家人がそれぞれ所持する１または複数台のキーリモコンと、このキーリモコンから送信される解錠信号または施錠信号に基づいて玄関錠を解錠または施錠する玄関錠制御手段とを備えた帰宅・外出報知メロディシステムにおいて、
前記キーリモコンは、これを所持する家人ごとに付与された固有の周波数の解錠信号を送信し、
宅外において前記キーリモコンから送信される解錠信号を受信する第１受信手段と、
宅内において前記キーリモコンから送信される解錠信号を受信する第２受信手段と、
前記第１受信手段及び前記第２受信手段により受信された解除信号の周波数に基づいて帰宅または外出する家人を特定する家人特定手段と、
前記家人特定手段による特定結果に基づいて、家人の帰宅や外出を管理する管理手段とを備え、
前記管理手段は、前記家人特定手段により特定された家人ごとにメロディテーブルに予め登録されているメロディ音を鳴らして帰宅または外出を報知する報知部と、前記家人特定手段による特定結果である家人の帰宅日時または外出日時を時系列的に記録して管理する個別管理ファイルとを備えていることを特徴とする帰宅・外出報知メロディシステム。
【請求項２】
家人がそれぞれ所持する１または複数台のキーリモコンと、このキーリモコンから送信される解錠信号または施錠信号に基づいて玄関錠を解錠または施錠する玄関錠制御手段とを備えた帰宅・外出報知メロディシステムにおいて、
前記キーリモコンは、これを所持する家人ごとに付与された固有のコードを前記解錠信号と共に送信し、
宅外において前記キーリモコンから送信される解錠信号及び固有のコードを受信する第１受信手段と、
宅内において前記キーリモコンから送信される解錠信号及び固有のコードを受信する第２受信手段と、
前記第１受信手段及び前記第２受信手段により受信された固有のコードに基づいて帰宅または外出する家人を特定する家人特定手段と、
前記家人特定手段による特定結果に基づいて、家人の帰宅や外出を管理する管理手段とを備え、
前記管理手段は、前記家人特定手段により特定された家人ごとにメロディテーブルに予め登録されているメロディ音を鳴らして帰宅または外出を報知する報知部と、前記家人特定手段による特定結果である家人の帰宅日時または外出日時を時系列的に記録して管理する個別管理ファイルとを備えていることを特徴とする帰宅・外出報知メロディシステム。
【請求項３】
請求項１または請求項２に記載の帰宅・外出報知メロディシステムにおいて、
前記個別管理ファイルは、家人の帰宅日時または外出日時を、週単位または月単位または年単位で時系列的に記録管理することを特徴とする帰宅・外出報知メロディシステム。
【請求項４】
請求項１ないし請求項３のいずれか１項に記載の帰宅・外出報知メロディシステムにおいて、
公衆回線網に接続可能な通信制御手段をさらに備え、
前記通信制御手段は、外部端末装置から前記公衆回線網を通じて問い合わせがあった場合には、前記管理手段にて管理している前記個別管理ファイルの家人の帰宅日時または外出日時の情報を前記外部端末装置に送信することを特徴とする帰宅・外出報知メロディシステム。
【請求項５】
請求項１ないし請求項３のいずれか１項に記載の帰宅・外出報知メロディシステムにおいて、
前記管理手段にて管理されている家人の帰宅日時または外出日時の情報を表示する表示手段をさらに備えていることを特徴とする帰宅・外出報知メロディシステム。
【請求項６】
請求項５に記載の帰宅・外出報知メロディシステムにおいて、
前記表示手段が自宅の各部屋に設置されていることを特徴とする帰宅・外出報知メロディシステム。
【請求項７】
請求項５に記載の帰宅・外出報知メロディシステムにおいて、
前記管理手段は、前記個別管理ファイルの帰宅日時と外出日時のデータを集計することにより、家人の帰宅時間の一覧、または所定期間の帰宅時間の推移、または所定期間の在宅時間の推移を前記表示手段に表示することを特徴とする帰宅・外出報知メロディシステム。
【発明の詳細な説明】
【０００１】
【発明の属する技術分野】
本発明は、家人がそれぞれ所持する１または複数台のキーリモコンと、このキーリモコンから送信される解錠信号または施錠信号に基づいて玄関錠を解錠または施錠する玄関錠制御手段とを備えたシステムに係り、より詳細には、家人の帰宅または外出をメロディ音で知らせる帰宅・外出報知メロディシステムに関する。
【０００２】
【従来の技術】
従来より、家人がそれぞれ所持する１または複数台のキーリモコンと、このキーリモコンから送信される解錠信号または施錠信号に基づいて玄関錠を解錠または施錠する玄関錠制御手段とを備えたシステムが、例えばキーレスエントリーシステムとして提案されている（特開２００１−２４１２２９号公報、特開平１１−１４８２６１号公報等参照）。
【０００３】
【発明が解決しようとする課題】
しかしながら、このようなキーレスエントリーシステムにおいても、キーリモコンを操作することによって、どの家人が帰宅したのか、または自宅から外出するのかを知らせる手段については、従来から提案されていないのが現状である。
【０００４】
なお、最近の携帯電話機では、着信相手によって着信音を変えられるようになっており、その着信音を聞くだけで誰からの電話であるのかを知ることができるようになっているが、住宅のチャイムに関しては誰が鳴らしても同じであり、またそのチャイム音を変えることもできないのが現状である。
【０００５】
本発明はかかる点に着目して創案されたもので、その目的は、家族のうち誰が帰宅したのか、または外出するのかをメロディ音の種類によって報知することのできる帰宅・外出報知メロディシステムを提供することにある。
【００１２】
【課題を解決するための手段】
本発明の帰宅・外出報知メロディシステムは、家人がそれぞれ所持する１または複数台のキーリモコンと、このキーリモコンから送信される解錠信号または施錠信号に基づいて玄関錠を解錠または施錠する玄関錠制御手段とを備えた帰宅・外出報知メロディシステムにおいて、前記キーリモコンは、これを所持する家人ごとに付与された固有の周波数の解錠信号を送信し、宅外において前記キーリモコンから送信される解錠信号を受信する第１受信手段と、宅内において前記キーリモコンから送信される解錠信号を受信する第２受信手段と、前記第１受信手段及び前記第２受信手段により受信された解除信号の周波数に基づいて帰宅または外出する家人を特定する家人特定手段と、前記家人特定手段による特定結果に基づいて、家人の帰宅や外出を管理する管理手段とを備え、前記管理手段は、前記家人特定手段により特定された家人ごとにメロディテーブルに予め登録されているメロディ音を鳴らして帰宅または外出を報知する報知部と、前記家人特定手段による特定結果である家人の帰宅日時または外出日時を時系列的に記録して管理する個別管理ファイルとを備えていることを特徴とする。
【００１３】
このような特徴を有する本発明によれば、各キーリモコンからは、これを所持する家人ごとに付与された固有の周波数の解錠信号が送信されるので、家人特定手段では、この解除信号が第１受信手段にて受信された場合には、この解除信号の周波数の違いによって、帰宅する家人を特定する。一方、この解除信号が第２受信手段にて受信された場合には、この解除信号の周波数の違いによって、外出する家人を特定する。報知部は、家人特定手段により特定された家人ごとにメロディテーブルに予め登録されているメロディ音を鳴らすことにより、誰が帰宅したのか、または誰が外出するのかを知らせるようになっている。この場合、同じ家人でも、帰宅時と外出時とで報知するメロディ音を変えておけば、自宅に居る他の家族は、誰が帰宅したのか、または誰がこれらか外出するのかを、そのメロディ音によって知ることができる。
【００１４】
この場合、キーリモコンは、家人ごとに周波数を変えて解錠信号を送信するのではなく、これを所持する家人ごとに付与された固有のコードを解錠信号と共に送信するようにしてもよい。この場合、家人特定手段は、キーリモコンから送信されてくる固有のコードに基づいて帰宅または外出する家人を特定する。
【００１５】
また、本発明の帰宅・外出報知メロディシステムは、家人特定手段による特定結果に基づいて、家人の帰宅や外出を管理する管理手段とを備え、この管理手段は、家人特定手段による特定結果である家人の帰宅日時または外出日時を時系列的に記録して管理する個別管理ファイルを備えている。このような構成とすることにより、現在、自宅に誰が居るのか、逆に言えば誰が外出しているのか、また、その外出時刻や帰宅時刻はいつなのかといった各家人の自宅への出入りを細かく管理することが可能となる。
【００１６】
また、本発明の帰宅・外出報知メロディシステムは、公衆回線網に接続可能な通信制御手段をさらに備え、前記通信制御手段は、外部端末装置から前記公衆回線網を通じて問い合わせがあった場合には、前記管理手段にて管理している前記個別管理ファイルの家人の帰宅日時または外出日時の情報を前記外部端末装置に送信するように構成してもよい。
【００１７】
このような構成とすることにより、外出中の家人は、外出先から電話をかけて自宅のシステムに接続することにより、管理手段から自宅の出入り情報を入手することができる。例えば、家族の誰が外出中なのか、また、いつ外出したのか等の情報を入手することができる。
【００１８】
また、前記管理手段にて管理されている家人の帰宅日時または外出日時の情報を表示する表示手段を、自宅の各部屋に設置してもよい。この場合には、自分の部屋に居ながらにして、他の家族の外出状況や帰宅状況を目視により把握することが可能となる。また、表示手段に報知機能を設けておけば、メロディ音によっても家族の外出状況や帰宅状況を把握することが可能となる。また、前記管理手段は、前記個別管理ファイルの帰宅日時と外出日時のデータを集計することにより、家人の帰宅時間の一覧、または所定期間の帰宅時間の推移、または所定期間の在宅時間の推移を前記表示手段に表示するようにしてもよい。
【００１９】
【発明の実施の形態】
以下、本発明の実施の形態について、図面を参照して説明する。
【００２０】
図１は、本発明の帰宅・外出報知メロディシステムの全体構成を示す概略図である。
【００２１】
本実施の形態の帰宅・外出報知メロディシステムは、家人がそれぞれ所持する１または複数台のキーリモコン１，１・・・と、このキーリモコン１から送信される解錠信号または施錠信号に基づいて玄関錠を解錠または施錠する玄関錠制御装置２と、キーリモコン１から送信されてくる解除信号や施錠信号に基づいて家人の帰宅や外出を管理する管理装置３とからなる。
【００２２】
また、管理装置３は、自宅の各部屋に設置された表示装置４，４・・・と有線（または無線）により接続されている。また、管理装置３は、自宅の電話受け口５を介して公衆電話回線網Ｎ１やインターネットＮ２等の公衆回線網Ｎに接続されており、公衆回線網Ｎ経由で固定電話機６や携帯電話機７等の情報通信端末、及びパソコン等の端末装置８と通信可能となっている。
【００２３】
キーリモコン１は、これを所持する家人ごとに付与された固有の周波数の解錠信号及び施錠信号を送信する。
【００２４】
図２は、玄関錠制御装置２及び管理装置３のより具体的な構成を示すブロック図である。
【００２５】
玄関錠制御装置２は、各キーリモコン１に付与されている全ての周波数の解除信号及び施錠信号を受信する受信部２１（２１ａ，２１ｂ）と、受信した信号の種類を識別して玄関ドアの施解錠機構部２４を駆動制御する施解錠制御部２２と、施解錠制御部２２で識別された各信号の周波数を検出する周波数検出部２３とを備えている。
【００２６】
受信部２１は、宅外においてキーリモコン１から送信される解錠信号及び施錠信号を受信する第１受信部２１ａと、宅内においてキーリモコン１から送信される解錠信号及び施錠信号を受信する第２受信部２１ｂとからなる。ただし、第１受信部２１ａは、宅内においてキーリモコン１から送信される解錠信号及び施錠信号を受信しないように、また、第２受信部２１ｂは、宅外においてキーリモコン１から送信される解錠信号及び施錠信号を受信しないように、電波的に遮断された状態で配置されているものとする。具体的には、例えば、玄関ドアを含む周辺の壁体等を電波を遮断する部材で構成する。
【００２７】
施解錠制御部２２は、受信した信号が解錠信号であると識別したときには、施解錠機構部２４を駆動して玄関錠を解錠し、受信した信号が施錠信号であると識別したときには、施解錠機構部２４を駆動して玄関錠を施錠する。また、施解錠制御部２２は、受信した解錠信号及び施錠信号を有線または無線（図１では有線として図示している）により管理装置３に送信する。
【００２８】
周波数検出部２３は、検出した周波数の情報を有線または無線（図１では有線として図示している）により管理装置３に送信する。
【００２９】
管理装置３は、周波数検出部２３からの周波数情報に基づいて帰宅または外出する家人を特定する家人特定部３１と、家人特定部３１により特定された家人の情報と施解錠制御部２２からの情報（後述する解錠信号と受信区別情報）に基づいて、各家人の帰宅及び外出を管理する管理部３２と、家人ごとの帰宅及び外出を管理する個別管理ファイルを格納するとともに、各種のメロディを格納しているメロディテーブルを格納したデータベース３３と、現在時刻（日付を含む）を計測する時計部３４と、各種のメロディ音を放音するスピーカ等を内蔵した報知部３５と、液晶等の表示部３６と、メロディ音やキーリモコンの周波数の設定、変更等を行う入力部３７と、留守録機能等を有する電話機能部３８とを備えている。
【００３０】
図３（ａ）は、データベース３３に格納されているメロディテーブルの構成例を示している。メロディテーブルには、各家人が選択可能な複数種類のメロディＡ，Ｂ，Ｃ，・・・がメロディコードと対応させて記憶されている。ここで、メロディＡ，Ｂ，Ｃ，・・・は、通常の音楽でもよいし、家人が吹き込んだ歌（カラオケ）等でもよいし、「ただいまー」といったメッセージでもよい。
【００３１】
図３（ｂ）は、データベース３３に格納されている個別管理ファイルの構成例を示している。
【００３２】
個別管理ファイルは、家人名（夫の名前、妻の名前、子供の名前等）、その家人に割り当てられたキーリモコン１の周波数情報、その家人が予め設定したメロディの種類（メロディコード）、帰宅日時、外出日時の各項目からなっており、帰宅日時及び外出日時は、例えば週単位、月単位、年単位等で時系列的に記録管理されるようになっている。
【００３３】
この例では、主人である○彦（家人名）には、所持するキーリモコン１の周波数として、例えば１００．９８５ＭＨｚが割り当てられており、報知するメロディとしてＡ（メロディコード：１２３４）が設定されている。そして、外出日時と帰宅日時とについては、朝の７時１５分〜２０分ごろに会社に出かけ、午後７時３０分から８時３０分ごろに帰宅するパターンとなっている。また、妻である○子（家人名）には、所持するキーリモコン１の周波数として、例えば１００．９９０ＭＨｚが割り当てられており、報知するメロディとしてＢ（メロディコード：２３４５）が設定されている。そして、外出日時と帰宅日時とについては、午前中に買い物に出かけ、週のうち何日かは、午後からカルチャーセンターやスポーツジム等に出かけるパターンとなっている。
【００３４】
なお、図３（ｂ）に示した個別管理ファイルの例では、設定できるメロディ種類が１種類のみとなっているが、例えば帰宅時と外出時とでメロディ音を異ならせることができるように、メロディ種類の項目は、帰宅時のメロディ種類と、外出時のメロディ種類の２つの項目に分かれていてもよい。また、個別管理ファイルには、キーリモコン１の操作状態、すなわち施錠及び解錠の操作履歴なども記憶できるようにしてもよい。
【００３５】
表示装置４は、基本的には管理装置３が有する報知部３５、表示部３６及び入力部３７を備えているが、これについては後述する。
【００３６】
次に、上記構成の帰宅・外出報知メロディシステムによる家人の帰宅時及び外出時の処理動作について説明する。
【００３７】
（１）帰宅時の処理動作
例えば主人である○彦が帰宅すると、○彦は所持しているキーリモコン１の図示しない解錠ボタンを玄関先で操作し、自己に割り当てられた周波数にて解錠信号を送信する。
【００３８】
玄関錠制御装置２は、この解錠信号を第１受信部２１ａで受信し、施解錠制御部２２に入力する。施解錠制御部２２は、受信した信号が第１受信部２１ａで受信した解錠信号であると識別すると、施解錠機構部２４を駆動して玄関錠を解錠する。
【００３９】
またこのとき、施解錠制御部２２は、受信した解錠信号を周波数検出部２３と管理装置３の管理部３２とに送信するとともに、管理部３２には、その解除信号が第１受信部２１ａで受信された解除信号であること（すなわち、帰宅であること）を示す受信区別情報も合わせて送信する。
【００４０】
周波数検出部２３は、受信した解除信号の周波数を検出し、その検出した周波数の情報を管理装置３の家人特定部３１に送信する。家人特定部３１は、周波数検出部２３からの周波数情報に基づいて家人（○彦）を特定する。
【００４１】
管理部３２は、家人特定部３１により特定された家人の情報（○彦）と、施解錠制御部２２からの解錠信号とに基づいて、データベース３３に格納されている該当する家人（○彦）の個別管理ファイル（図３（ｂ）参照）を検索し、その個別管理ファイルに格納されているメロディ種類のコード（１２３４）をキーとしてメロディテーブルに格納されているメロディＡを抽出し、これを再生してそのメロディ音を報知部３５から報知する。これにより、自宅に居る他の家人は、誰が帰宅したのかをそのメロディ音によって知ることができる。
【００４２】
この場合、管理部３２は、各部屋に設置されている表示装置４の報知部からも、抽出したメロディＡのメロディ音を報知する。ただし、表示装置４は、帰宅時のメロディ音を報知するか否かを設定できるようになっており、報知しないように設定されている場合には、その表示装置４からはメロディ音は報知されないようになっている。
【００４３】
また、管理部３２は、解除信号を受け取ったときの現在日時（例えば、「１月１５日１５時４０分」等）を時計部３４より取得し、施解錠制御部２２からの受信区別情報（帰宅であることを示す情報）に基づき、該当する家人（○彦）の個別管理ファイルの帰宅日時の項目に記録する。
【００４４】
玄関錠制御装置２及び管理装置３では、このような処理を、家人が帰宅するたびに実施する。
【００４５】
（２）外出時の処理動作
例えば主人である○彦が会社に行くために外出する場合、○彦は所持しているキーリモコン１の図示しない解錠ボタンを玄関先の室内で操作し、自己に割り当てられた周波数にて解錠信号を送信する。
【００４６】
玄関錠制御装置２は、この解錠信号を第２受信部２１ｂで受信し、施解錠制御部２２に入力する。施解錠制御部２２は、受信した信号が第２受信部２１ｂで受信した解錠信号であると識別すると、施解錠機構部２４を駆動して玄関錠を解錠する。
【００４７】
またこのとき、施解錠制御部２２は、受信した解錠信号を周波数判定部２３と管理装置３の管理部３２とに送信するとともに、管理部３２には、その解除信号が第２受信部２１ｂで受信された解除信号であること（すなわち、外出であること）を示す受信区別情報も合わせて送信する。
【００４８】
周波数検出部２３は、受信した解除信号の周波数を検出し、その検出した周波数の情報を管理装置３の家人特定部３１に送信する。家人特定部３１は、周波数検出部２３からの周波数情報に基づいて家人（○彦）を特定する。
【００４９】
管理部３２は、家人特定部３１により特定された家人の情報（○彦）と、施解錠制御部２２からの解錠信号とに基づいて、データベース３３に格納されている該当する家人（○彦）の個別管理ファイル（図３（ｂ）参照）を検索し、その個別管理ファイルに格納されているメロディ種類のコード（１２３４）をキーとしてメロディテーブルに格納されているメロディＡを抽出し、これを再生してそのメロディ音を報知部３５から報知する。これにより、自宅に居る他の家人は、これから誰が外出するのかをそのメロディ音によって知ることができる。ただし、帰宅時と外出時とでメロディ音を異ならせて個人ファイルに格納しておけば、同じ家人の帰宅と外出とをメロディ音によってより明確に区別することができる。
【００５０】
この場合、管理部３２は、各部屋に設置されている表示装置４の報知部からも、抽出したメロディＡのメロディ音を報知する。ただし、表示装置４は、外出時のメロディ音を報知するか否かを設定できるようになっており、報知しないように設定されている場合には、その表示装置４からはメロディ音は報知されないようになっている。
【００５１】
また、管理部３２は、解除信号を受け取ったときの現在日時（例えば、「１月１６日７時１５分」等）を時計部３４より取得し、施解錠制御部２２からの受信区別情報（外出であることを示す情報）に基づき、該当する家人（○彦）の個別管理ファイルの外出日時の項目に記録する。
【００５２】
玄関錠制御装置２及び管理装置３では、このような処理を、家人が外出するたびに実施する。
【００５３】
上記の帰宅時及び外出時の処理動作からも分かる通り、請求項に記載の家人特定手段は、本実施の形態では、施解錠制御部２２、周波数検出部２３、家人特定部３１及び管理部３２によって実現されている。
【００５４】
以上説明した帰宅時及び外出時の処理動作によって、家人の個別管理ファイルには、その家人の帰宅時及び外出時の履歴が順次蓄積されているので、管理部３２では、この個別管理ファイルを利用して、種々のサービスを提供することができる。以下、順次説明する。
【００５５】
（ア）外出先からの電話等による遠隔操作機能
遠隔操作機能を実現するためには、施解錠制御部２２と管理部３２とを双方向の接続とし、管理部３２から施解錠制御部２２に対して解錠指示または施錠指示を送信可能に構成する。また、施解錠制御部２２は、この管理部３２からの解錠指示または施錠指示を、キーリモコン１からの解錠信号または施錠信号と同等に扱うようにプログラムしておく必要がある。
【００５６】
このような構成において、外出中の家人が、外出先から自宅に電話をかけたとき、自宅の電話機能部３８が留守番モードに設定されていた場合には、電話機能部３８が録音モードに切り替わる。このとき、外出先の家人が外出先の端末装置（ここでは、固定電話機６や携帯電話機７等の情報通信端末）から、例えば４桁の暗証番号を入力することにより、電話機能部３８が管理部３２に接続される。
【００５７】
管理部３２では、電話機能部３８に接続されることにより、外出先の家人に対して、次のような音声で応答し、所望するメニューを家人に選択させる。
【００５８】
すなわち、応答メッセージとしては、「施錠してあるかどうかの確認は▲１▼を、自宅の出入り情報を聞く場合には▲２▼を、解錠してある場合に施錠する場合には▲３▼を、施錠してある場合に解錠する場合には▲４▼を、・・・・を、押して下さい。」といったメッセージである。施錠してある場合に解錠する場合とは、家人自身がキーリモコン１を無くした場合とか、親戚が家を訪れたが家人が誰もおらず、家人の携帯電話機７に連絡が入った場合等が考えられる。
【００５９】
このメッセージを聞いた家人が、所望する番号のキーを押すと、この番号情報を受信した管理部３２では、その番号に対応した処理を実行する。
【００６０】
ここで、▲２▼のキーが押された場合には、管理部３２は、データベース３３に格納されている各家人の個別管理ファイルの帰宅日時と外出日時の項目を検索し、その検索結果に基づいて、各家人の帰宅日時と外出日時（ここでは、本日の帰宅時刻と外出時刻）を音声に変換（電話機能部３８で変換）して、外出先の家人に送信する。これにより、外出先の家人は、家族の誰がいつ帰宅し、いつ外出したのかを知ることができる。
【００６１】
また、▲３▼のキーが押された場合には、管理部３２は、施解錠制御部２２に施錠指示を送信し、▲４▼のキーが押された場合には、管理部３２は施解錠制御部２２に解錠指示を送信する。
【００６２】
なお、▲１▼のキーが押された場合には、管理部３２は、施解錠制御部２２に問い合わせを行い、施錠してあるかどうかの確認を行う。この場合、施解錠制御部２２は、施解錠機構部２４に最後に送った制御信号を記憶するようにしておけば、最後に送った制御信号（解錠制御信号または施錠制御信号）の種類を確認することで、施解錠機構部２４の状態（解錠状態か施錠状態か）を把握することができる。また、家人の誰が施錠または解錠を行ったのかの情報を、データベース３３の個別管理ファイルに記録することによって、各家人ごとに管理することも可能である。
【００６３】
（イ）集計表示機能
例えば、各個別管理ファイルの帰宅日時のデータを管理部３２が集計することにより、図４に示すような帰宅時間の一覧を表示部３５や各部屋に設置された表示装置４に表示することが可能である。
【００６４】
また、図５（ａ）に示すような各家人の１年間の帰宅時間の推移をグラフ表示することも可能である。また、図５（ｂ）に示すような各家人の１年間の在宅時間の推移をグラフ表示することも可能である。在宅時間は、該当する家人の個別管理ファイルに格納されている帰宅日時から外出日時を引くことによって計算できる。
【００６５】
（ウ）セキュリティシステムとの連動機能
自宅にセキュリティシステムが導入されている場合、例えば、窓や玄関などの建物の開口部が開けられたときに警報を発する等のシステムが導入されている場合には、このシステムと連動させる。
【００６６】
例えば、玄関の外からキーリモコン１を操作して施錠信号を送信する。
【００６７】
玄関錠制御装置２は、この施錠信号を第１受信部２１ａで受信し、施解錠制御部２２に入力する。施解錠制御部２２は、受信した信号が施錠信号であると識別すると、施解錠機構部２４を駆動して玄関錠を施錠する。
【００６８】
このとき、施解錠制御部２２は、受信した施錠信号を管理部３２に送信する。管理部３２は、この施錠信号に基づき、図示しないセキュリティシステムを作動させるとともに、セキュリティシステムを作動させたことを表す音を、玄関ドアのインターフォン（図示省略）から出力する。これにより、外出しようとする家人は、玄関錠が施錠されたことに加え、セキュリティシステムが確実に作動したことを、この音によって確認することができる。
【００６９】
また、キーリモコン１を使用して、施錠と、セキュリティシステムの作動とを別個に操作できるようにすることも可能である。この場合、施錠操作とセキュリティシステムの作動操作とで、操作ボタンを別に設けておくことも考えられるが、同じ操作ボタンを短時間だけ押すと施錠操作、長時間（例えば、２秒等）押すとセキュリティシステムの作動操作というように、１個の操作ボタンで２種類の操作を兼用してもよい。また、このようなキーリモコン１による遠隔操作とは別に、公衆回線Ｎを通じて外部端末装置からセキュリティシステムの作動や停止を操作したり、作動状態を確認したりできるようにしてもよい。
【００７０】
図６は、各部屋に設置される表示装置４の一例を示している。
【００７１】
この表示装置４は、各部屋に固定して管理部３２と有線で接続する構成ではなく、持ち運び可能な構成とする。そのため、この表示装置４と管理装置３の管理部３２とが無線回線により接続可能となるように、双方に無線通信機能を内蔵した構成とする。また、表示装置４は、液晶等の表示部４１（管理部３が有する表示部３６と同じ機能）と、メロディ音や音声を送出するスピーカ４２（管理部３が有する報知部３５と同じ機能）と、表示画面をスクロール等するための各種操作ボタン４３（管理部３が有する入力部３７とほぼ同じ機能）とを備えている。
【００７２】
このように、表示装置４を持ち運び可能な構成とすることにより、例えばピン等で壁に吊り下げて使用したり、机の上に置いて使用したり、就寝時には枕元に置いて使用したりすることが可能となる。
【００７３】
図７は、この表示装置４に表示される表示内容の一例を示している。
【００７４】
表示内容としては、各家人の外出や帰宅の時刻表示を初め、キーリモコン１による施錠または解錠であるのかといったキーリモコン１の操作情報や、管理装置３の電話機能部３８との連動による帰宅予定時刻と伝言有無の情報や、セキュリティシステムとの連動によるセキュリティ作動状態の情報などが表示されている。
【００７５】
なお、上記実施の形態では、各家人を特定する手段として、各家人が所持するキーリモコン１の解除信号の送信周波数を少しずつ異ならせる構成としているが、解除信号の送信周波数を変える代わりに、各家人を特定する固有のコードを解除信号と共に送信するように構成してもよい。この場合、図２に示す周波数検出部２３の代わりに、固有のコードを識別するコード識別部を設ければよい。
【００７６】
また、上記実施の形態では、家人の帰宅時または外出時に常にメロディ音を報知する構成としているが、例えば、報知する時間帯を設定できるように構成することが可能である。例えば、夜１０時から早朝６時まではメロディ音を報知しないように設定し、この時間帯を過ぎると自動的に設定が解除され、その後は家人の帰宅時または外出時に常にメロディ音を報知するように構成することが可能である。また、メロディ音の報知のオン、オフではなく、時間帯に応じて音量を変更するように設定可能な構成としてもよい。例えば、夜１０時から早朝６時まではメロディ音の音量を下げ、それ以外の時間帯は通常の音量で報知するように設定することが可能である。
【００８０】
【発明の効果】
本発明の帰宅・外出報知メロディシステムによれば、各キーリモコンからは、これを所持する家人ごとに付与された固有の周波数の解錠信号または固有コードを含む解錠信号が送信されるので、この解除信号が第１受信手段にて受信された場合には、この解除信号の周波数の違いまたは固有コードによって、帰宅する家人を特定し、この解除信号が第２受信手段にて受信された場合には、この解除信号の周波数の違いまたは固有コードによって、外出する家人を特定する。そして、特定された家人に対応して登録されているメロディ音を鳴らすことにより、誰が帰宅したのか、または誰が外出するのかを知らせることができる。この場合、同じ家人でも、帰宅時と外出時とで報知するメロディ音を変えておけば、自宅に居る他の家族は、誰が帰宅したのか、または誰がこれらか外出するのかを、そのメロディ音によって知ることができる。
【００８１】
また、本発明の帰宅・外出報知メロディシステムによれば、家人特定手段による特定結果に基づいて、家人の帰宅や外出を管理する管理手段を備え、この管理手段は、家人特定手段による特定結果である家人の帰宅日時または外出日時を時系列的に記録して管理する個別管理ファイルを備えた構成とすることにより、現在、自宅に誰が居るのか、逆に言えば誰が外出しているのか、また、その外出時刻や帰宅時刻はいつなのかといった各家人の自宅への出入りを細かく管理することができる。
【００８２】
また、本発明の帰宅・外出報知メロディシステムによれば、公衆回線網に接続可能な通信制御手段をさらに備え、前記通信制御手段は、外部端末装置から公衆回線網を通じて問い合わせがあった場合には、前記管理手段にて管理している前記個別管理ファイルの家人の帰宅日時または外出日時の情報を外部端末装置に送信するように構成することにより、外出中の家人は、外出先から電話をかけて自宅のシステムに接続することで、管理手段から自宅の出入り情報を入手することができる。例えば、家族の誰が外出中なのか、また、いつ外出したのか等の情報を入手することができる。
【００８３】
また、管理手段にて管理されている帰宅日時または外出日時の情報を表示する表示手段を、自宅の各部屋に設置した場合には、自分の部屋に居ながらにして、他の家族の外出状況や帰宅状況を目視により把握することができる。
【図面の簡単な説明】
【図１】本発明の帰宅・外出報知メロディシステムの全体構成を示す概略図である。
【図２】玄関錠制御装置及び管理装置のより具体的な構成を示すブロック図である。
【図３】（ａ）は、データベースに格納されているメロディテーブルの構成例、（ｂ）は、データベースに格納されている個別管理ファイルの構成例を示す説明図である。
【図４】表示内容の一例を示す説明図である。
【図５】（ａ）は、ある家人の１年間の帰宅時間の推移を示すグラフ表示例、（ｂ）は、ある家人の１年間の在宅時間の推移を示すグラフ表示例である。
【図６】表示装置の他の例を示す外観斜視図である。
【図７】表示装置の表示内容の一例を示す説明図である。
【符号の説明】
１  キーリモコン
２  玄関錠制御装置
２１  受信部
２１ａ  第１受信部
２１ｂ  第２受信部
２２  施解錠制御部
２３  周波数検出部
２４  施解錠機構部
３  管理装置
３１  家人特定部
３２  管理部
３３  データベース
３４  時計部
３５  報知部
３６  表示部
３７  入力部
３８  電話機能部
４  表示装置
５  電話受け口
６  固定電話機
７  携帯電話機
８  端末装置
Ｎ  公衆回線網
Ｎ１  公衆電話回線網
Ｎ２  インターネット
【図１】
0004068354.tif 000002
【図２】
0004068354.tif 000003
【図３】
0004068354.tif 000004
【図４】
0004068354.tif 000005
【図５】
0004068354.tif 000006
【図６】
0004068354.tif 000007
【図７】
0004068354.tif 000008